(57)【要約】【課題】マシンコンフィグレーション調整データの意図しない書き換えを防止する画像形成装置を提供することを目的とする。【解決手段】受信した機種固有情報を記憶し、記憶された該機種固有情報に基づいて動作が制御される電子装置１であって、前記機種固有情報を受信する受信手段１０１と、前記受信手段１０１により受信した前記機種固有情報を記憶する、書き込み禁止フラグを備えた記憶手段１０２と、前記記憶手段を制御する記憶制御手段１０３と、を有し、前記記憶制御手段１０３は、前記記憶手段１０２が前記受信手段１０１により受信した前記機種固有情報を記憶したとき、前記書き込み禁止フラグをたてることを特徴とする電子装置１。【選択図】図４
2008078824.tif 000002
【特許請求の範囲】
【請求項１】
受信した機種固有情報を記憶し、記憶された該機種固有情報に基づいて動作が制御される電子装置であって、
前記機種固有情報を受信する受信手段と、
前記受信手段により受信した前記機種固有情報を記憶する、書き込み禁止フラグを備えた記憶手段と、
前記記憶手段を制御する記憶制御手段と、
を有し、
前記記憶制御手段は、前記記憶手段が前記受信手段により受信した前記機種固有情報を記憶したとき、前記書き込み禁止フラグをたてることを特徴とする電子装置。
【請求項２】
受信した機種固有情報を記憶し、記憶された該機種固有情報に基づいて動作が制御される電子装置であって、
前記機種固有情報を受信する受信手段と、
前記受信手段により受信した前記機種固有情報を記憶する、データ毎に設定可能な書き込み禁止フラグを備えた記憶手段と、
前記記憶手段を制御する記憶制御手段と、
を有し、
前記記憶制御手段は、前記記憶手段が前記受信手段により受信した前記機種固有情報を記憶したとき、記憶したデータである前記機種固有情報に基づいて該データ毎に書き込み禁止フラグをたてることを特徴とする電子装置。
【請求項３】
前記書き込み禁止フラグの状態に基づいて前記記憶手段による記憶を行うか否かを判定する書き込み判定手段を有し、
前記書き込み判定手段は、前記書き込み禁止フラグがたっているとき、前記記憶手段による記憶を禁止することを特徴とする請求項１乃至２のいずれか一項に記載の電子装置。
【請求項４】
受信した機種固有情報を記憶し、記憶された該機種固有情報に基づいて動作が制御される電子装置であって、
前記機種固有情報を受信する受信手段と、
前記受信手段により受信した前記機種固有情報を記憶する記憶手段と、
前記記憶手段を制御する記憶制御手段と、
前記記憶制御手段から前記記憶手段への書き込み制御信号を遮断又は導通を制御する書き込み禁止制御手段と、
を有し、
前記記憶手段が前記受信手段により受信した前記機種固有情報を記憶したとき、前記書き込み禁止制御手段は、前記記憶制御手段の制御により前記記憶手段への書き込み制御信号を遮断することを特徴とする電子装置。
【請求項５】
前記記憶制御手段は、外部の無線送受信装置からの制御による、前記書き込み禁止制御手段の前記記憶手段への書き込み制御信号の導通を禁止することを特徴とする請求項４に記載の電子装置。
【請求項６】
受信した機種固有情報を記憶する、書き込み禁止フラグを備えた記憶部と、前記記憶部を制御する記憶制御部とを有し、前記記憶部により記憶された前記機種固有情報に基づいて動作が制御される電子装置における記憶方法であって、
前記機種固有情報を受信する受信工程と、
前記記憶制御部により、前記記憶部が前記受信工程において受信した前記機種固有情報を記憶したとき、前記書き込み禁止フラグをたてる工程と、
を有することを特徴とする記憶方法。
【請求項７】
受信した機種固有情報を記憶し、記憶された該機種固有情報に基づいて動作が制御される画像形成装置であって、
前記機種固有情報を受信する受信手段と、
前記受信手段により受信した前記機種固有情報を記憶する、書き込み禁止フラグを備えた記憶手段と、
前記記憶手段を制御する記憶制御手段と、
を有し、
前記記憶制御手段は、前記記憶手段が前記受信手段により受信した前記機種固有情報を記憶したとき、前記書き込み禁止フラグをたてることを特徴とする画像形成装置。
【発明の詳細な説明】
【技術分野】
【０００１】
本発明は、電子装置及び画像形成装置に関する。
【背景技術】
【０００２】
従来、デジタル複写機等の画像形成装置には、ＣＰＵ（Ｃｅｎｔｒａｌ  Ｐｒｏｃｅｓｓｉｎｇ  Ｕｎｉｔ）等の演算処理装置が搭載され、これは予めフラッシュＲＯＭ（Ｒｅａｄ  Ｏｎｌｙ  Ｍｅｍｏｒｙ）等の不揮発性メモリに格納された制御プログラムに基づいて制御されている。この制御プログラムを修正する際は、ＩＣカード等の外部記憶手段に更新用のプログラムを予め格納しておき、このＩＣカード等を画像形成装置に接続することによりユーザの使用先であっても容易に制御プログラムの更新ができるような仕組みが、一般的に採用されている。
【０００３】
また、デジタル複写機は日本国内のみならず海外各国にも出荷されるため、国ごとの電力条件などにより、例えば、定着用のヒータ制御、操作部の言語、起動画面等を各国毎の使用に合わせた所謂、仕向け調整が必要となる。さらに、複数モデルをラインナップしている製品群の場合、モデルごとに制御プログラムが微妙に異なるため、モデル毎に制御プログラムは最適化されて不揮発性メモリに格納されている。
【０００４】
上述した仕向け調整やモデルによる制御プログラムの最適化は、工場出荷時に画像形成装置内の基盤上でディップスイッチを操作することで、調整データや制御プログラムを切り替えることにより行われていた。その他にも、ネット経由でダウンロードした調整データや制御プログラムをメモリカードなどに格納し、そのメモリカードから不揮発性メモリに対してデータ転送したり、予め調整済みの着脱可能な不揮発性メモリを製造工程で取り付けたりするなどして対応していた。  
また、近年、製品モデル数の増加に伴う在庫コストの低減要求から製造工場からの出荷時は１モデルとし消費地近辺または販売会社で仕向け、モデルを設定できるような仕組み（以降、この仕組みをマシンコンフィグレーション調整とする）が簡潔にできる要求が高まっている。それは、マシンコンフィグレーション調整が可能になると、製造工場においては出荷モデルが1モデルとなるため、在庫管理が容易となり、発注から出荷までのリードタイムが短縮可能となるためである。また、消費地近辺または販売会社においては仕向け、モデルごとに在庫を保有する必要がないため、売れ筋モデルの予想が外れた場合でも在庫の増加を招くことなく、発注に対するタイムリーな対応が可能となる。
【０００５】
しかしながら、マシンコンフィグレーション調整には、上述したようにディップスイッチ操作や不揮発性メモリの書き換えをなんらかの手段によって行わなければならないため、工場や販売店の倉庫等で調整対象となる画像形成装置が梱包された状態にある場合は、少なくとも梱包をといて不揮発性メモリの交換をしたり、通電可能な状態になってはじめて不揮発性メモリへのデータ転送が可能になるものであり、手間も時間もかかるという問題があった。
【０００６】
このようなことから、従来、効果的なマシンコンフィグレーション調整を実現することを目的とする種々の発明がなされている。
【０００７】
特許文献１には、無線を使用したデータ書き換えに関する技術が開示されている。これは、ＲＦＩＤ（Ｒａｄｉｏ  Ｆｒｅｑｕｅｎｃｙ  ＩＤｅｎｔｉｆｉｃａｔｉｏｎ）システムを利用することにより画像形成装置が梱包状態でも、本体に内蔵した不揮発性メモリ内の調整データや制御プログラムを外部機器であるＲＦＩＤ端末によって書き込み、又は更新を可能とするものである。画像形成装置の電源がオフの状態でＲＦＩＤ端末から不揮発性メモリに対してデータ転送を行い、画像形成装置の電源がオンの状態になると、不揮発性メモリと有線接続されたＣＰＵが不揮発性メモリに格納されたデータを読み出し、所定の動作を行うものである。また、同特許文献１に開示された発明は、従来の有線接続と無線接続の２方向のアクセスについてその選択を的確に行うことができる機器固有データ送受信システム及び機器固有データ送受信モジュールを提供することを目的としている。
【特許文献１】特開２００５−１４９３９１号公報
【発明の開示】
【発明が解決しようとする課題】
【０００８】
しかしながら、特許文献１で開示された発明では、画像形成装置内の不揮発性メモリを他の画像形成装置の不揮発性メモリと区別することは考慮されていなかった。そのため、工場や販売店等の倉庫でＲＦＩＤ端末から画像形成装置内の不揮発性メモリにデータ書き込み（転送）を行う処理をする場合、無線を通じたデータ転送であるため、例えば、段ボール等に梱包済みの画像形成装置が複数並べて置かれていた場合や電波環境が良好すぎる場合など、データ書き換えを行う画像形成装置以外の不揮発性メモリにもデータが転送されてしまい、意図しないデータ書き換えが行われてしまう恐れがあった。また、不揮発性メモリのデータがＲＦＩＤ端末によって書き換えられた後の通常使用時においても、ユーザーの使用環境によっては何らかのノイズ発生により不揮発性メモリ内のデータが書き換えられてしまう恐れがあった。いずれの場合であっても、仮に仕向地調整データなどの画像形成装置固有のマシンコンフィギュレーション調整データが意図せず書き換わってしまうことにより誤動作の要因となるなどの問題があった。
【０００９】
本発明は、上記の点に鑑みて、この問題を解消するために発明されたものであり、マシンコンフィグレーション調整データの意図しない書き換えを防止する電子装置を提供することを目的とする。
【課題を解決するための手段】
【００１０】
上記の目的を達成するために、本発明の電子装置は、受信した機種固有情報を記憶し、記憶された該機種固有情報に基づいて動作が制御される電子装置であって、前記機種固有情報を受信する受信手段と、前記受信手段により受信した前記機種固有情報を記憶する、書き込み禁止フラグを備えた記憶手段と、前記記憶手段を制御する記憶制御手段とを有し、前記記憶制御手段は、前記記憶手段が前記受信手段により受信した前記機種固有情報を記憶したとき、前記書き込み禁止フラグをたてるように構成することができる。
【発明の効果】
【００１１】
本発明の電子装置によれば、当該電子装置の動作を制御するマシンコンフィグレーション調整データを記憶する記憶手段に、データの書き込みを制御する書き込みフラグを設け、記憶手段にマシンコンフィグレーション調整データが書き込まれると、書き込みフラグをたてることにより記憶手段への書き込みを禁止するという構成にすることにより、記憶手段へのデータの上書きができなくなり、マシンコンフィグレーション調整データの意図しない書き換えを防止することができる。
【発明を実施するための最良の形態】
【００１２】
以下、本発明を実施するための最良の形態を図面に基づき説明する。なお、本発明を実施するための最良の形態では、電子装置の一例として画像形成装置１を例に説明するが、他の電子装置及び画像形成装置であってもよい。
【実施例１】
【００１３】
本発明の画像形成装置１の第１の実施例について図１〜６を用いて説明する。
（システム構成の概要）
まず、本発明の画像形成装置１に対してマシンコンフィグレーション調整を行うシステムの構成の概要について図１を用いて説明する。図１は、本発明の画像形成装置１に対してマシンコンフィグレーション調整を行うシステムの構成例を示した図である。
【００１４】
図１において、本発明の画像形成装置１は、梱包箱２に入っている。ＲＦＩＤ端末３は、画像形成装置１内部の図示しないメモリモジュール（記憶部）内のデータの読み書きを非接触又は非通電状態で行うことができる。画像形成装置１の詳細についての説明は、次の装置の概要等において行う。
【００１５】
なお、図１及び後述の図２で示される画像形成装置１は、ＲＦＩＤ端末３を用いて当該画像形成装置１装置内の図示しない不揮発性メモリ等の記憶部においてデータを書き換え可能であるものとした、従来技術として公知の画像形成装置の一例である。
（装置の概要）
次に、本発明の画像形成装置１の装置の概要について図２を用いて説明する。図２は、本発明の画像形成装置１の装置構成例を示す図である。
【００１６】
図２において、画像形成装置１は、読み取り制御部１０、操作部２０、メイン制御部３０、書き込み制御部４０、ＩＯ制御部５０、定着制御部６０、電子写真プロセス７０、定着ヒータ８０、電源９０、ＡＤＦ（Ａｕｔｏ  Ｄｏｃｕｍｅｎｔ  Ｆｅｅｄｅｒ）１００等を有する。
【００１７】
読み取り制御部１０は、図示しないスキャナなどの画像読み取り部を制御する。例えば、スキャナを制御して、原稿１１を画像データとして読み取る。読み取られた画像データは、メイン制御部３０へ送信される。
【００１８】
操作部２０は、ユーザーが操作を行うインターフェース部である。例えば、タッチパネルなどである。操作部２０で入出力される情報は、メイン制御部３０により制御される。なお、操作部２０の詳細の構成は、後述の操作部２０の詳細構成例において説明を行う。
【００１９】
メイン制御部３０は、読み取り制御部１０、操作部２０、後述の書き込み制御部４０を制御する。ここでは、読み取り制御部１０から原稿１１の画像データを受け取り、この画像データに対して同メイン制御部３０内の図示しない画像処理部により画像処理を施す。画像処理を施された画像データは、書き込み制御部４０に送られる。また、外部のＲＦＩＤ端末３から機種固有情報などの情報を受信して記憶する図示しない記憶部を有する。メイン制御部３０の詳細の構成は、後述のＲＦＩＤ端末３とメイン制御部３０のハードウェア構成例において説明を行う。
【００２０】
書き込み制御部４０は、図示しないレーザダイオードの点灯制御を行い、書き込み部である後述の電子写真プロセス７０に静電潜像を形成する。ここでは、メイン制御部３０から原稿１１の画像データを受け取り、この画像データに基づいて、図示しないレーザダイオードの点灯制御及び電子写真プロセス７０への静電潜像の形成を行う。
【００２１】
ＩＯ制御部５０は、後述の定着制御部６０、ＡＤＦ１００等の制御を行う。
【００２２】
定着制御部６０は、電子写真プロセス７０中の図示しない定着部及び後述の定着ヒータ８０を制御する。
【００２３】
電子写真プロセス７０は、図示しない給紙部より搬送されてきた転写紙にトナーを転写する。また、定着ヒータ８０により熱せられた同電子写真プロセス７０中の図示しない定着部によりトナーを転写紙に定着し、形成されたコピー１２を外部へ出力する。
【００２４】
定着ヒータ８０は、電子写真プロセス７０中の図示しない定着部に対して熱を発生させる装置である。定着制御部６０により制御される。
【００２５】
電源９０は、画像形成装置１への給電を行う。また、画像形成装置１の待機時は、システムの消費電力を低減するため、定着ヒータ８０への給電を遮断してもよい。
【００２６】
ＡＤＦ１００は、原稿を自動的に連続して読み込む装置である。ＩＯ制御部５０により制御される。
【００２７】
以上の装置の構成により、本発明の画像形成装置１では、メイン制御部３０が外部のＲＦＩＤ端末３から機種固有情報などの情報を受信する。また、受信した機種固有情報などの情報に基づいてマシンコンフィグレーション調整を施され、機種固有情報に基づいて所定の機種として動作を行う。例えば、出荷先が日本国内であれば、機種固有情報の情報として操作部２０の言語表記を日本語にする旨の情報等が格納されており、画像形成装置１は、日本語表記を行う機種として動作を行う。なお、機種固有情報及び所定の機種については、この場合には限らないものとする。また、メイン制御部３０は、操作部２０において入力された機種固有情報によりマシンコンフィグレーション調整を施されてもよい。
（ＲＦＩＤ端末３とメイン制御部３０のハードウェア構成例）
次に、ＲＦＩＤ端末３とメイン制御部３０のハードウェア構成例について図３を用いて説明する。図３は、本発明の画像形成装置１のＲＦＩＤ端末３とメイン制御部３０のハードウェア構成例を示す図である。
【００２８】
図３において、ＲＦＩＤ端末３は、ＣＰＵ３１、ＲＯＭ３２、ＲＡＭ３３、ＲＦＩＤリーダ／ライタ３４、ＲＦＩＤアンテナ３５を有する。また、メイン制御部３０は、ＣＰＵ３１０、ＲＯＭ３２０、ＲＡＭ３３０、ＡＳＩＣ３４０、メモリモジュール部３５０を有する。更に、メモリモジュール部３５０は、ＲＦＩＤアンテナ３５１、ＲＦＩＤ電源生成部３５２、ＲＦＩＤアクセス部３５３、制御切り替え部３５４、ＣＰＵバスアクセス部３５５、コントロール部３５６、不揮発性メモリ３５７、ＣＰＵ制御バス３６０を有する。
【００２９】
ＣＰＵ３１は、ＲＦＩＤ端末３を制御するための装置である。ＲＯＭ３２に内蔵された制御プログラムに基づいて、ＲＡＭ３３をワーク領域として動作する。
【００３０】
ＲＯＭ３２は、ＲＦＩＤ端末３の制御プログラム、データ等を保存するための装置である。
【００３１】
ＲＡＭ３３は、データ等を、一時的に保存するための装置である。例えば、ＣＰＵ３１のワーク領域としてデータを一時的に保存する。
【００３２】
ＲＦＩＤリーダ／ライタ３４は、画像形成装置１のメイン制御部３０において管理されている情報、例えばＩＤ情報等、の認識、制御を行う装置である。
【００３３】
ＲＦＩＤアンテナ３５は、画像形成装置１と通信を行うための通信装置である。
【００３４】
ＣＰＵ３１０は、メイン制御部３０を制御するための装置である。ＲＯＭ３２０に内蔵された制御プログラムに基づいてＲＡＭ３３０をワーク領域として動作する。
【００３５】
ＲＯＭ３２０は、メイン制御部３０の制御プログラム、データ等を保存するための装置である。
【００３６】
ＲＡＭ３３０は、データ等を、一時的に保存するための装置である。例えば、ＣＰＵ３１０のワーク領域としてデータを一時的に保存する。
【００３７】
ＡＳＩＣ３４０は、メイン制御部３０の外部にあるＩＯ制御部５０（図２参照）などの制御を行う装置である。これは、画像形成装置１において制御対象が多いためにＣＰＵ３１０とは別に設けられたものである。
【００３８】
メモリモジュール部３５０は、後述のＲＦＩＤアンテナ３５１、ＲＦＩＤ電源生成部３５２、ＲＦＩＤアクセス部３５３、制御切り替え部３５４、ＣＰＵバスアクセス部３５５、コントロール部３５６、不揮発性メモリ３５７により構成された記憶部である。例えば、ＲＦＩＤ端末３からＲＦＩＤアンテナ３５１を介して無線で受信した機種固有情報などを不揮発性メモリ３５７により記憶する。また、図３で示されるように、ＣＰＵ３１０からＣＰＵ制御バス３５８を介して有線で受信した機種固有情報などを記憶してもよい。
【００３９】
ＲＦＩＤアンテナ３５１は、ＲＦＩＤ端末３と通信を行うための通信装置である。例えば、ＲＦＩＤアンテナ３５から情報を受信する。
【００４０】
ＲＦＩＤ電源生成部３５２は、電源を生成する装置である。
【００４１】
ＲＦＩＤアクセス部３５３は、ＲＦＩＤアンテナ３５１から送られてきたデータの入出力を行う、無線接続側のインターフェースである。
【００４２】
制御切り替え部３５４は、後述のコントロール部３５６と、ＲＦＩＤアクセス部３５３、又は、後述のＣＰＵバスアクセス部３５５との間で接続の切り替えを行う装置である。
【００４３】
ＣＰＵバスアクセス部３５５は、後述のＣＰＵ制御バス３６０から送られてきたデータの入出力を行う、有線接続側のインターフェースである。
【００４４】
コントロール部３５６は、後述の不揮発性メモリ３５７の記憶内容を制御する装置である。
【００４５】
不揮発性メモリ３５７は、電源を切っても記憶内容を保存する装置である。例えば、画像形成装置１の機種固有情報を保存する。
【００４６】
ＣＰＵ制御バス３６０は、各装置がデータをやり取りするための伝送路である。例えば、１２Ｃバス等のシリアルバスである。また、パラレルバスであってもよい。
【００４７】
以上の構成により、本発明の画像形成装置１におけるメイン制御部３０は、外部のＲＦＩＤ端末３から機種固有情報を受信し、これをメイン制御部３０内の不揮発性メモリ３４に保存する。なお、本発明の画像形成装置１における不揮発性メモリ３５７は、受信した機種固有情報を記憶するデータ記憶領域のみならず、図３で示されるように書き込み禁止フラグを備えていることを特徴としている。書き込み禁止フラグの詳細については、後述の動作例において説明を行う。
（機能の構成）
次に、本発明の画像形成装置１の機能の構成例について図４を用いて説明する。図４は、実施例１に係る画像形成装置１の機能の構成例を示す図である。
【００４８】
図４において、画像形成装置１は、受信手段１０１、記憶手段１０２、記憶制御手段１０３、本体制御手段１０４を有する。
【００４９】
受信手段１０１は、機種固有情報を受信する。例えば、ＲＦＩＤアンテナ３５１等であり、ＲＦＩＤ端末３から無線通信により機種固有情報を受信する。また、ＣＰＵバスアクセス部３５５等であり、後述のＣＰＵ制御バス３６０から有線通信により送られてきた機種固有情報を受信する。
【００５０】
記憶手段１０２は、受信手段１０１により受信した機種固有情報を記憶する。また、書き込み禁止フラグを備えていてもよい。例えば、不揮発性メモリ３５７等である。なお、ここでは記憶手段１０２は、後述の記憶制御手段１０３により制御される。
【００５１】
記憶制御手段１０３は、記憶手段１０２を制御する。例えば、コントロール部３５６等であり記憶手段１０２の記憶内容を制御する。
【００５２】
本体制御手段１０４は、記憶手段１０２により記憶された機種固有情報に基づいて画像形成装置１本体の制御等を行う。例えば、ＣＰＵ３１０等が行う。
【００５３】
以上の機能の構成により、本発明の画像形成装置１では、受信手段１０１により受信した機種固有情報を記憶手段１０２に記憶する。なお、記憶手段１０２は記憶制御手段１０３により制御されている。また、本体制御手段１０４は、記憶手段１０２により記憶された機種固有情報に基づいて画像形成装置１本体の動作の制御等を行う。
（動作例）
次に、本発明の画像形成装置１の動作例について図５〜８を用いて説明する。図５は、実施例１に係る画像形成装置１の動作フローを示す図である。
【００５４】
ここでは、本発明の画像形成装置１が、外部のＲＦＩＤ端末３から機種固有情報として、定着用のヒータ制御、操作部の言語、起動画面等の情報を受信し、これを記憶し、書き込み禁止フラグをたてる（以降の説明においては、書き込み禁止フラグをセットすると記載）までの動作について説明を行う。
【００５５】
まず、受信手段１０１は、機種固有情報を受信する（Ｓ１０１）。
【００５６】
ここでは、受信手段１０１であるＲＦＩＤアンテナ３５１が機種固有情報である、機種の操作部の言語、起動画面等の情報を受信する。なお、受信する機種固有情報とは、ユーザの操作に基づいてＲＦＩＤ端末３によりＲＦＩＤアンテナ３５を介して送信されたものである。
【００５７】
次に、記憶制御手段１０３は、ステップＳ１０１において受信した機種固有情報を記憶手段１０２に記憶する（Ｓ１０２）。
【００５８】
ここでは、記憶制御手段１０３であるコントロール部３５６がステップＳ１０１において受信した機種固有情報を、ＲＦＩＤ電源生成部３５２及びＲＦＩＤアクセス部３５３を介して受信し、これを記憶手段１０２である不揮発性メモリ３５７の各番地に記憶する。  
ステップＳ１０２について、より詳細に説明を行う。不揮発性メモリ３５７は、詳細には、図６で示されるように、書き込み禁止フラグ制御部３５８及びメモリエリア３５９により構成される。コントロール部３５６は、アドレス指定信号、書き込みデータ、読み出しデータ、読み出し制御信号、書き込み制御信号５を利用してメモリエリア３５９に対してデータの読み書きを行う。また、書き込み制御信号５は、書き込み禁止フラグ制御部３５８を経由して、メモリエリア３５９に書き込み制御信号６として接続されている。
【００５９】
書き込み禁止フラグ制御部３５８は、図７で示されるように、フラグ制御用ＦＦ（Ｆｌｉｐ−Ｆｌｏｐ）及びＡＮＤ回路により構成されている。フラグ制御用ＦＦは、コントローラ部３５６からフラグ制御信号としてフラグＯＮ／ＯＦＦ設定値信号とフラグＯＮ／ＯＦＦ設定信号の２種類の信号を入力してフラグ信号を出力する。なお、フラグ信号は、書き込み許可のとき"１"、書き込み禁止のとき"０"とする。ＡＮＤ回路は、フラグ制御用ＦＦにより出力されたフラグ信号及びコントロール部３５６からの書き込み制御信号５を入力し、書き込み制御信号６として出力する。メモリエリア３５９は、機種固有情報を記憶する記憶領域である。
【００６０】
このような構成により、書き込み禁止フラグ制御部３５８は、書き込み許可のときには、書き込み制御信号５と同じレベルの信号を書き込み制御信号６として出力し、書き込み禁止のときには、書き込み制御信号５に関係なく"Ｌ"を書き込み制御信号６として出力する。特に、書き込み禁止のときには、書き込み制御信号６が"Ｌ"であるので、コントロール部３５６からアドレス指定信号、書き込みデータがメモリエリア３５９に対して出力されても書き込みができないようになっている。
【００６１】
即ち、フラグ制御用ＦＦが、書き込みを禁止するか（"０"のフラグ信号を出力する）否か（"１"のフラグ信号を出力する）を決定する書き込み禁止フラグとして機能すると考えてよい。このとき、書き込み禁止フラグ制御部３５８は、この書き込み禁止フラグに基づいて書き込み制御信号６の出力を変更することにより、記憶手段１０２であるメモリエリア３５９による記憶を行うか否かを判定する書き込み判定手段としての機能をもつものと考えてもよい。
【００６２】
図８（ａ）（ｂ）は、それぞれ、書き込み禁止フラグ制御部３５８の書き込み許可時、書き込み禁止時の動作を示す図である。フラグＯＮ／ＯＦＦ設定値信号、フラグＯＮ／ＯＦＦ設定信号、フラグ、書き込み制御信号５及び書き込み制御信号６の関係を示す。なお、図８上では、書き込み制御信号５及び書き込み制御信号６は"Ｈ"のときアクティブとして記載されている。
【００６３】
ステップＳ１０２では、記憶制御手段１０３であるコントロール部３５６が、ステップＳ１０１において受信した機種固有情報をＲＦＩＤ電源生成部３５２及びＲＦＩＤアクセス部３５３を介して受信し、これを記憶手段１０２である不揮発性メモリ内のメモリエリア３５９の各番地に記憶する。このとき、書き込み禁止フラグ制御部３５８のフラグ制御用ＦＦにより出力されるフラグ信号は、書き込み許可を示す"１"である。即ち、書き込み禁止フラグはセットされていないことを示す。
【００６４】
次に、記憶制御手段１０３は、記憶手段１０２において書き込み禁止フラグのセットを行う（Ｓ１０３）。
【００６５】
ここでは、記憶制御手段１０３であるコントロール部３５６が、記憶手段１０２である不揮発性メモリ３５７に設けられた書き込み禁止フラグのセットを行う。即ち、コントロール部３５６が、フラグＯＦＦの設定信号をフラグ制御用ＦＦに対して出力する。フラグ制御用ＦＦは、フラグＯＦＦの設定信号を入力し、書き込み禁止を示す"０"をフラグ信号として出力する。書き込み禁止を示す"０"が出力されることは、書き込み禁止フラグがセットされたことを示す。このため、画像形成装置１において、記憶手段１０２への書き込みはできなくなる。
【００６６】
以上説明してきた動作により、本発明の画像形成装置１では、外部のＲＦＩＤ端末３から受信した機種固有情報を記憶して、書き込み禁止フラグのセットを行う。
【００６７】
そのため、以下に掲げる効果を奏する。その効果とは、マシンコンフィグレーション調整データの意図しない書き換えを防止することができることである。本実施例においては、一旦画像形成装置に対して機種固有情報を記憶すると、書き込み禁止フラグをセットする、即ち、フラグ制御用ＦＦにおけるフラグ信号の出力を書き込み禁止を示す"０"にすることにより、メモリエリア３５９における記憶内容の書き換えを防ぐことが可能になる。また、マシンコンフィグレーションを容易とし、更にユーザに常に安定した品質の画像形成装置を提供することが可能になる。
【００６８】
なお、上記の説明において、フラグ制御用ＦＦ、書き込み禁止フラグ制御部３５８は、それぞれ、書き込み禁止フラグ、書き込み判定手段として機能していると考えたが、この場合に限らない。
【００６９】
第１の動作例の変形例として、書き込み禁止フラグとして機能するのは、記憶手段１０２である不揮発性メモリ内のメモリエリア３５９に確保された書き込み禁止フラグ用の記憶領域であると考える。このときの動作について図５を用いて説明を行う。ステップＳ１０１及びＳ１０２は前述と同様であるので、ここでは説明を省略する。ステップＳ１０３へ移ると、記憶制御手段１０３は、メモリエリア３５９上の書き込み禁止フラグ用の記憶領域において書き込み禁止を示すデータを書き込むことにより書き込み禁止フラグをセットする。これにより、画像形成装置１において、マシンコンフィグレーション調整データの意図しない書き換えを防止する。
【００７０】
第２の動作例の変形例として、動作例におけるステップＳ１０３の処理（書き込み禁止フラグをセット）を、書き込み禁止制御手段による書き込み制御信号の遮断と置き換えて説明する。即ち、書き込み禁止制御手段として機能する書き込み禁止フラグ制御部３５８が、コントロール部３５６からメモリエリア３５９への書き込み制御信号６を書き込み禁止のときには遮断となるよう制御する動作を示す。なお、以降の説明において同様に書き込み禁止フラグのセットは、書き込み禁止制御手段による書き込み制御信号の遮断と同じ意義である。また、書き込み禁止フラグのリセットは、書き込み禁止制御手段による書き込み制御信号の導通と同じ意義である。
【００７１】
また、本実施例において、書き込み禁止フラグは、不揮発性メモリ３５７の内部にあるものとして説明を行ってきたが、外部にあってもよいものとする。即ち、書き込み禁止フラグ制御部３５８は不揮発性メモリ３５７の内部にあっても、外部にあってもよいことを示す。書き込み禁止フラグ制御部３５８についても同様である。
【００７２】
なお、動作例において図６〜８で示される書き込み禁止フラグの設定方法は、後述の実施例１の変形例、実施例２においても用いてもよいものとする。
（実施例１の変形例）
次に、本発明の画像形成装置の実施例１の変形例について図９を用いて説明する。図９は、実施例１の変形例に係る画像形成装置１のＲＦＩＤ端末３とメイン制御部３０のハードウェア構成例を示す図である。
【００７３】
実施例１に係る画像形成装置１では、外部のＲＦＩＤ端末３から受信した機種固有情報を記憶して、不揮発性メモリ３５７全体に対して書き込み禁止フラグのセットを行う動作を行った（図３及び実施例１内の動作例参照）。ここでは、不揮発性メモリ３５７全体に対して書き込み禁止フラグのセットを行うのではなく、図６で示されるような不揮発性メモリ３５７内のメモリ番地毎に書き込み禁止フラグを設けたハードウェア構成により、番地毎に書き込み禁止フラグのセットを任意に設定可能とする。
【００７４】
なお、（システム構成の概要）、（装置の概要）、（ＲＦＩＤ端末３とメイン制御部３０のハードウェア構成例（不揮発性メモリ３５７を除く））、（機能の構成）（動作例）については、実施例１のそれと同様であるものとして、ここでは説明を省略する。
【００７５】
実施例１の変形例に係る画像形成装置１では、図６で示されるような不揮発性メモリ３５７の構成にすることにより、以下に掲げる効果を奏する。その効果とは、実施例１における効果に加えて、例えば、不揮発性メモリ３５７には、仕向け調整データ、線速データ、コピーカウンタ、モータ回転カウンタ等が格納されているが、絶対に保護しなければ行けない仕向け情報（ここでは、仕向け調整データ、線速データとする）に対しては書き込み禁止フラグをたてて保護し、他の情報（ここでは、モータ回転カウンタなどのコピー動作毎に書き換えられる情報）は保護せず書き換え可能とするなど、条件に応じて細かく設定可能とすることができることである。即ち、制御上利便性の高い画像形成装置を提供することが可能になる。
【実施例２】
【００７６】
次に、本発明の画像形成装置の第２の実施例について図１０〜１６を用いて説明する。
【００７７】
実施例１に係る画像形成装置は、外部のＲＦＩＤ端末３から受信した機種固有情報を記憶して、書き込み禁止フラグのセットを行う動作を行った。実施例２に係る画像形成装置は、一旦セットされた書き込み禁止フラグをリセットする動作を行う。なお、実施例２では、画像形成装置１は、セットされた書き込み禁止フラグのリセットが、ユーザ操作を介して行われる場合を想定している。
【００７８】
実施例２に係る画像形成装置のシステム構成の概要、装置の概要、ＲＦＩＤ端末３とメイン制御部３０のハードウェア構成は、実施例１のそれと同様であるものとして、ここでは説明を省略する。ここでは、ユーザ操作が行われる操作部２０（図２参照）、機能の構成、動作例の順に説明していく。
（操作部２０の構成例）
次に、本発明の画像形成装置１の操作部２０の構成例について図１０を用いて説明する。図１０は、本発明の画像形成装置１の操作部２０の構成例を示す図である。
【００７９】
図１０において、操作部２０は、表示部２１、操作キー２２、スタートキー２３、クリアストップキー２４、初期設定キー２５等により構成される。
【００８０】
表示部２１は、文字列やビットマップを表示する。例えば、ディスプレイなどである。
【００８１】
操作キー２２は、コピーの印刷部数の入力等の操作に用いられるボタンである。
【００８２】
スタートキー２３は、コピーや原稿読み取りの開始を指示する操作に用いられるボタンである。
【００８３】
クリアストップキー２４は、コピー作業の中断やコピー枚数のリセット時に使用するボタンである。
【００８４】
初期設定キー２５は、コピー機能、プリンタ機能又はスキャナ機能等で使用する設定の初期値を設定する際に用いられるボタンである。
【００８５】
以上の構成により、本発明の画像形成装置１の操作部２０では、表示部２１により画面表示を行う。また、操作キー２２、スタートキー２３、クリアストップキー２４、初期設定キー２５などによりユーザが操作を行うマンマシンインターフェース部としての機能ももつ。
（機能の構成）
次に、実施例２に係る画像形成装置１の機能の構成例について図１１を用いて説明する。図１１は、実施例２に係る画像形成装置１の機能ブロックの例を示す図である。
【００８６】
図１１において、画像形成装置１は、受信手段２０１、記憶手段２０２、記憶制御手段２０３、本体制御手段２０４、表示手段２０５を有する。
【００８７】
受信手段２０１は、機種固有情報を受信する。例えば、ＲＦＩＤアンテナ３５１等であり、ＲＦＩＤ端末３から無線通信により機種固有情報を受信する。また、ＣＰＵバスアクセス部３５５等であり、後述のＣＰＵ制御バス３６０から有線通信により送られてきた機種固有情報を受信する。
【００８８】
記憶手段２０２は、受信手段２０１により受信した機種固有情報を記憶する。書き込み禁止フラグを備えている。例えば、不揮発性メモリ３５７等である。
【００８９】
記憶制御手段２０３は、記憶手段２０２を制御する。例えば、コントロール部３５６等であり記憶手段２０２を制御する。
【００９０】
本体制御手段２０４は、画像形成装置１本体の制御を行う。例えば、ＣＰＵ３１０等が記憶手段２０２の記憶内容に基づいて行う。また、後述の表示手段２０５により表示する表示内容の制御を行ってもよい。
【００９１】
表示手段２０５は、表示を行う。例えば、操作部２０である。なお、表示手段２０５により表示される表示内容は、本体制御手段２０４により制御される。また、ここでは、表示手段２０５は、ユーザ操作により入力が行われる入力手段としての機能も有するものである。
【００９２】
以上の機能構成により、本発明の画像形成装置１では、受信手段２０１により受信した機種固有情報を記憶手段２０２に記憶する。なお、記憶手段２０２は記憶制御手段２０３により制御されている。また、本体制御手段２０４は、記憶手段２０２により記憶された機種固有情報に基づいて画像形成装置１本体の動作の制御を行う。
（動作例１）
次に、実施例２に係る画像形成装置１の第１の動作例について図１２を用いて説明する。図１２は、実施例２の動作例１に係る画像形成装置１の動作フローを示す図である。
【００９３】
ここでは、本発明の画像形成装置１において前述の実施例１の動作例のような処理によりセットされた書き込み禁止フラグが、操作部２０における入力に基づいてリセットされるまでの処理を行う。
【００９４】
それでは、図１２を用いて動作について説明を行う。
【００９５】
まず、ユーザが操作するインターフェースとしての機能も有する表示手段２０５は、操作キー入力を施される（Ｓ２０１）。
【００９６】
ここでは、ユーザが表示手段２０５である操作部２０（図１０参照）上で操作キー２２の入力を施す。なお、ここで施される入力は、画像形成装置１をサービスモードへ移行させるための操作キー２２の組み合わせであり、画像形成装置１によって異なる。なお、サービスモードとは、画像形成装置１の設定等の調整を行うモードである。
【００９７】
次に、本体制御手段２０４は、ステップＳ２０１において施された入力を受信し、受信した入力に基づいてサービスモードへ移行するか否かを判定する（Ｓ２０２）。サービスモードへ移行すると判定すると（Ｓ２０２、ＹＥＳ）、ステップＳ２０３へ移る。移行しないと判定すると（Ｓ２０２、ＮＯ）、ステップＳ２０７へ移る。
【００９８】
ステップＳ２０３へ移った場合、画像形成装置１は、サービスモードへ移行する（Ｓ２０３）。
【００９９】
ここでは、本体制御手段２０４は、画像形成装置１をサービスモードへ移行させる。詳細には、本体制御手段２０４は、表示手段２０５に、サービスモードの画面表示を促す指示を行い、表示手段２０５は指示内容に従って表示を行う。
【０１００】
次に、ステップＳ２０４へ移って、画像形成装置１において、サービスモードの画面表示上で書き込み禁止フラグをリセットする項目の選択が施される（Ｓ２０４）。選択されると（Ｓ２０４、ＹＥＳ）、ステップＳ２０５へ移る。選択されないと（Ｓ２０４、ＮＯ）、ステップＳ２０８へ移る。
【０１０１】
ここで詳細には、表示手段２０５である操作部２０内の表示部２１において、ステップＳ２０３により表示されたサービスモードの画面表示の内、書き込み禁止フラグをリセットする項目の選択が、ユーザにより施される。本体制御手段２０４は、表示手段２０５からこの選択を受信し、受信した選択に基づいて書き込み禁止フラグをリセットするか否かの選択を促す表示を行うよう表示手段２０５に指示する。表示手段２０５は、この指示内容に基づいて表示を行う。
【０１０２】
次に、ステップＳ２０５へ移って、画像形成装置１において、ＯＫボタン又はＣＡＮＣＥＬボタンの入力を施される（Ｓ２０５）。ＯＫボタンの入力が施されると（Ｓ２０５、ＹＥＳ）、ステップＳ２０６へ移る。ＣＡＮＣＥＬボタンの入力が施されると（Ｓ２０５、ＮＯ）、ステップＳ２０９へ移る。
【０１０３】
ここでは、表示手段２０５である操作部２０内の表示部２１において、ＯＫボタン又はＣＡＮＣＥＬボタンが、ユーザにより押下される。これにより、セットされた書き込み禁止フラグをリセットするか否かを設定する。リセットする場合にはＯＫボタンが押下され、リセットしない場合にはＣＡＮＣＥＬボタンが押下される。
【０１０４】
ステップＳ２０６へ移った場合、画像形成装置１において、書き込み禁止フラグはリセットされる（Ｓ２０６）。その後、処理を終了する。
【０１０５】
ここで詳細には、本体制御手段２０４は、表示手段２０５におけるＯＫボタンの入力を受信し、これに基づいて記憶制御手段２０３に書き込み禁止フラグリセットの指示を送信する。記憶制御手段２０３であるコントロール部３５６は、受信したリセット指示に基づいて記憶手段２０２である不揮発性メモリ３５７内の書き込み禁止フラグをリセットする。  
即ち、コントロール部３５６が、フラグＯＮの設定信号をフラグ制御用ＦＦに対して出力する（図６〜８参照）。フラグ制御用ＦＦは、フラグＯＮの設定信号を入力し、書き込み禁止を示す"１"をフラグ信号として出力する。結果として、記憶手段１０２において書き込み禁止フラグはリセットされる。このため、画像形成装置１において、記憶手段１０２への書き込みはできるようになる。
【０１０６】
ステップＳ２０７へ移った場合、本体制御手段２０４は、画像形成装置１を通常モードへ移行させる（Ｓ２０７）。その後、処理を終了する。
【０１０７】
ステップＳ２０８へ移った場合、本体制御手段２０４は、画像形成装置１を通常調整モードへ移行させる（Ｓ２０８）。その後、処理を終了する。
【０１０８】
ステップＳ２０９へ移った場合、本体制御手段２０４は、画像形成装置１を通常調整モードへ移行させる（Ｓ２０９）。その後、処理を終了する。
【０１０９】
以上の処理により、本発明の画像形成装置１では、前述の実施例１の動作例のような処理によりセットされた書き込み禁止フラグが、操作部２０における「ＯＫ」又は「ＣＡＮＣＥＬ」のキー入力に基づいてリセットされるまでの処理を行う。
【０１１０】
そのため、以下に掲げる効果を奏する。その効果とは、例えば、本動作例１のような動作においてサービスマン等に限って所定の単一キー操作を行って（ステップＳ２０１、Ｓ２０２参照）サービスモードへ移行させることを可能とすることにより、サービスマン等に限って、書き込み禁止フラグをリセットして不揮発性メモリ内のデータを修正可能とすることである。また、不揮発性メモリ内のデータの書き換えによる不正改造防止度の向上を実現することができることである。
（動作例２）
次に、実施例２に係る画像形成装置１の第２の動作例について図１３を用いて説明する。図１３は、実施例２の動作例２にかかる画像形成装置１の動作フローを示す図である。
【０１１１】
動作例１では、本発明の画像形成装置１においてセットされた書き込み禁止フラグが、操作部２０における「ＯＫ」又は「ＣＡＮＣＥＬ」のキー入力に基づいてリセットされるまでの処理を行った。ここでは、書き込み禁止フラグが、操作部２０における複数のキー（ここでは、「ＯＫ」と"０"のキーの同時入力）の入力に基づいてリセットされる処理を行う。
【０１１２】
それでは、図１３を用いて説明を行う。
【０１１３】
ステップＳ３０１〜Ｓ３０５及びステップＳ３０８〜Ｓ３１０に係る処理は、動作例１におけるステップＳ２０１〜Ｓ２０５及びステップＳ２０７〜Ｓ２０９に係る処理と同様であるので、ここでは説明を省略する。
【０１１４】
ステップＳ３０５において、表示手段２０５においてＯＫボタンの入力が施されると（Ｓ３０５、ＹＥＳ）、ステップＳ３０６へ移って、画像形成装置１において、"０"ボタンの入力を施される（Ｓ３０６）。入力が施されると（Ｓ３０６、ＹＥＳ）、ステップＳ３０７へ移る。入力が施されないと（Ｓ３０６、ＮＯ）、ステップＳ３１１へ移る。
【０１１５】
ここでは、表示手段２０５である操作部２０内の表示部２１において、"０"ボタンが、ユーザにより押下される。これにより、セットされた書き込み禁止フラグをリセットするか否かを設定する。リセットする場合にはＯＫと"０"が同時に押下される。
【０１１６】
ステップＳ３０７へ移った場合、画像形成装置１において、書き込み禁止フラグはリセットされる（Ｓ３０７）。その後、処理を終了する。
【０１１７】
ステップＳ３０７の処理は、動作例１に係るステップＳ２０６と同様であるものとしてここでは説明を省略する。
【０１１８】
ステップＳ３１１へ移った場合、画像形成装置１において、操作無効メッセージが表示される（Ｓ３１１）。その後、ステップＳ３０５へ戻る。
【０１１９】
ここで詳細には、本体制御手段２０４は、表示手段２０５においてＯＫボタン及び"０"ボタンが入力されていないことを受信して、表示手段２０５に対して操作無効メッセージの表示を指示する。表示手段２０５は、この指示内容に従って表示を行う。
【０１２０】
以上の処理により、動作例２に係る画像形成装置１では、書き込み禁止フラグが、操作部２０における複数のキー（ここでは、「ＯＫ」と"０"のキーの同時入力）の入力に基づいてリセットされる処理を行う。また、ここでは、動作例１のように単一のキーではなく複数キーを同時に操作することにより書き込み禁止フラグをリセットして不揮発性メモリ内のデータを修正可能としている。
【０１２１】
そのため、以下に掲げる効果を奏する。その効果とは、動作例１における効果に加えて、サービスマン等が、書き込み禁止フラグをリセットして不揮発性メモリ内のデータを修正するときの、誤った操作を防止することができることである。
【０１２２】
なお、"０"キーは、予め定められた所定のキーであれば、"０"キーでなくてもよい。
（動作例３）
次に、実施例２に係る画像形成装置１の第３の動作例について図１４を用いて説明する。図１４は、実施例２の動作例３に係る画像形成装置１の動作フローを示す図である。
【０１２３】
動作例２では、本発明の画像形成装置１においてセットされた書き込み禁止フラグが、操作部２０における複数のキー（動作例２では、「ＯＫ」と"０"のキーの同時入力）の入力に基づいてリセットされる処理を行った。ここでは、動作例２のような処理が行われて書き込み禁止フラグがリセットされたとき、データの入力画面に移行する処理を行う。
【０１２４】
それでは、図１４を用いて説明を行う。
【０１２５】
ステップＳ４０１〜Ｓ４１１に係る処理は、動作例３におけるステップＳ３０１〜Ｓ３１１に係る処理と同様であるので、ここでは説明を省略する。
【０１２６】
ステップＳ４１２へ移って、本体制御手段２０４は、表示手段２０５にデータの入力を促す表示を指示する。表示手段２０５は、この指示内容に従って表示を行う（Ｓ４１２）。
【０１２７】
以上の動作により、動作例２のような処理が行われて書き込み禁止フラグがリセットされたとき、データの入力画面に移行する処理を行う。
【０１２８】
そのため、以下に掲げる効果を奏する。その効果とは、動作例２における効果に加えて、データの書き換えを行う際に利便性を高くすることができることである。また、記憶手段２０２により記憶された記憶内容をデータの入力画面として表示する等により、表示を見ながらデータを修正することができることである。
（動作例４）
次に、実施例２の画像形成装置１の第４の動作例について図１５を用いて説明する。図１５は、実施例２の動作例４に係る画像形成装置１の動作フローを示す図である。
【０１２９】
動作例３では、本発明の画像形成装置１においてセットされた書き込み禁止フラグが、操作部２０における複数のキー（動作例３では、「ＯＫ」と"０"のキー）の入力に基づいてリセットされた後、データの入力画面に移行する処理を行った。ここでは、動作例３に加えて、データの入力画面におけるデータの入力動作により、書き込み禁止フラグをセットする処理を行う。
【０１３０】
それでは、図１５を用いて説明を行う。
【０１３１】
ステップＳ５０１〜Ｓ５１２に係る処理は、動作例４におけるステップＳ４０１〜Ｓ４１２に係る処理と同様であるので、ここでは説明を省略する。
【０１３２】
ステップＳ５１３へ移って、表示手段２０５において、データの入力を施される（Ｓ５１３）。入力が終了すると（Ｓ５１３、ＹＥＳ）、ステップＳ５１５へ移る。入力が終了していないと（Ｓ５１３、ＮＯ）、再びステップＳ５１４へ戻る。
【０１３３】
ステップＳ５１４へ移った場合、記憶制御手段２０３は、記憶手段２０２において書き込み禁止フラグのセットを行う（Ｓ５１４）。その後、処理を終了する。
【０１３４】
ステップＳ５１５における処理は、実施例１におけるステップＳ１０３と同様であるのでここでは説明を省略する。
【０１３５】
以上の動作により、動作例４に係る画像形成装置では、動作例３の動作に加えて、データの入力画面におけるデータの入力動作が終わると、書き込み禁止フラグを自動的にセットする処理を行う。
【０１３６】
そのため、以下に掲げる効果を奏する。その効果とは、動作例３における効果に加えて、データの書き換えを行う際に、書き込み禁止フラグのセット忘れを防止する等、利便性を高くすることができることである。
（動作例５）
次に、実施例２の画像形成装置１の第５の動作例について図１６を用いて説明する。図１６は、実施例２の動作例５に係る画像形成装置１の動作フローを示す図である。
【０１３７】
動作例２では、本発明の画像形成装置１において、書き込み禁止フラグが、操作部２０における複数のキー（動作例２では、「ＯＫ」と"０"のキーの同時入力）の入力に基づいてリセットされる処理を行った。また、操作部２０において複数のキーの入力が行われている間（図１３上、ステップＳ３０３〜ステップＳ３０６）、画像形成装置１は、サービスモードに移行していた。ここでは、サービスモードに移行している間は無線接続アクセスを禁止する処理を行う。
【０１３８】
それでは、図１６を用いて説明を行う。
【０１３９】
ステップＳ６０１〜Ｓ６０３及びステップＳ６０７に係る処理は、それぞれ、動作例２におけるステップＳ３０１〜Ｓ３０３及びステップＳ３０８に係る処理と同様であるので、ここでは説明を省略する。
【０１４０】
ステップＳ６０３へ移って、画像形成装置１がサービスモードへ移行すると（Ｓ６０３）、次にステップＳ６０４へ移って、画像形成装置１において、無線接続アクセス禁止フラグが、セットされる（Ｓ６０４）。設定が終了すると、ステップＳ６０５へ移る。
【０１４１】
ステップＳ６０４では、本体制御手段１０４が、記憶制御手段１０３に対して無線接続アクセスを禁止する旨の設定を行う。
【０１４２】
ステップＳ６０５へ移って、画像形成装置１がサービスモードを終了したか否かを判定する（Ｓ６０５）。終了したと判定すると（Ｓ６０５、ＹＥＳ）、次のステップＳ６０６へ移る。終了していないと判定すると（Ｓ６０５、ＮＯ）、ステップＳ６０５へ戻って再び処理を行う。
【０１４３】
ここでは、本体制御手段１０４は、画像形成装置１がサービスモードであるか否か、即ちサービスモードに移行している状態なのか、或いは、サービスモードではない状態なのかを判定する。
【０１４４】
ステップＳ６０６へ移った場合、画像形成装置１において、無線接続アクセス禁止フラグは、リセットされる（Ｓ６０６）。
【０１４５】
ここでは、本体制御手段２０４が、記憶制御手段２０２に対して無線接続アクセスを許可する旨の設定を行う。
【０１４６】
以上の処理により、本発明の画像形成装置では、サービスモードに移行している間は無線接続アクセスを禁止する処理を行う。
【０１４７】
そのため、以下に掲げる効果を奏する。その効果とは、サービスマン等によるデータ調整中は、ＲＦＩＤ端末３からの無線接続アクセスを禁止し、誤動作を回避することができることである。
【０１４８】
なお、無線接続アクセス禁止フラグについては、前述の書き込み禁止フラグと同等の回路構成であるものと考えてもよい。
【０１４９】
また、上記実施例１及び実施例２において、書き込み禁止フラグのセットは、ＲＦＩＤ端末３等を介した無線接続、ＣＰＵ制御バス３６０等を介した有線接続により可能である。（実施例１及び実施例２参照）。ところが、書き込み禁止フラグのリセットは、有線接続によりのみ可能とする（実施例２参照）。これにより、無線接続（通信）によるマシンコンフィグレーション調整データの意図しない書き換えを防止することができる。
【０１５０】
以上、各実施例に基づき本発明の説明を行ってきたが、上記実施例にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【０１５１】
【図１】本発明の画像形成装置に対してマシンコンフィグレーション調整を行うシステムの構成例を示した図
【図２】本発明の画像形成装置１の装置構成例を示す図
【図３】実施例１に係る画像形成装置１のＲＦＩＤ端末３とメイン制御部３０のハードウェア構成例を示す図
【図４】実施例１に係る画像形成装置１の機能の構成例を示す図
【図５】実施例１に係る画像形成装置１の動作フローを示す図
【図６】実施例１に係る画像形成装置１のコントロール部３５６、不揮発性メモリ３５７の詳細を示す図
【図７】実施例１に係る画像形成装置１の書き込み禁止フラグ制御部３５８の詳細を示す図
【図８】（ａ）書き込み禁止フラグ制御部３５８の書き込み許可時（ｂ）書き込み禁止フラグ制御部３５８の書き込み禁止時
【図９】実施例１の変形例に係る画像形成装置１のＲＦＩＤ端末３とメイン制御部３０のハードウェア構成例を示す図
【図１０】本発明の画像形成装置１の操作部２０の構成例を示す図
【図１１】実施例２に係る画像形成装置１の機能の構成例を示す図
【図１２】実施例２の動作例１に係る画像形成装置１の動作フローを示す図
【図１３】実施例２の動作例２に係る画像形成装置１の動作フローを示す図
【図１４】実施例２の動作例３に係る画像形成装置１の動作フローを示す図
【図１５】実施例２の動作例４に係る画像形成装置１の動作フローを示す図
【図１６】実施例２の動作例５に係る画像形成装置１の動作フローを示す図
【符号の説明】
【０１５２】
１  画像形成装置
３  ＲＦＩＤ端末
２０  操作部
３０  メイン制御部
３５０  メモリモジュール部
３５６  コントロール部
３５７  不揮発性メモリ
１０１、２０１  受信手段
１０２、２０２  記憶手段
１０３、２０３  記憶制御手段
１０４、２０４  本体制御手段
２０５  表示手段
【図１】
2008078824.tif 000003
【図２】
2008078824.tif 000004
【図３】
2008078824.tif 000005
【図４】
2008078824.tif 000006
【図５】
2008078824.tif 000007
【図６】
2008078824.tif 000008
【図７】
2008078824.tif 000009
【図８】
2008078824.tif 000010
【図９】
2008078824.tif 000011
【図１０】
2008078824.tif 000012
【図１１】
2008078824.tif 000013
【図１２】
2008078824.tif 000014
【図１３】
2008078824.tif 000015
【図１４】
2008078824.tif 000016
【図１５】
2008078824.tif 000017
【図１６】
2008078824.tif 000018